(57)【要約】      （修正有）【課題】譜面をファイルする際、従来からあるどの方式のファイルでも見開きは２枚までであった。また、見開きになるように印刷された譜面をコピーしてファイルすると見開きページが変わってしまう問題もあった。さらに、綴じるために開けた穴が破れやすかったり、譜面の一部が挟み金具で隠れたり、透明なポケットを用いた場合には表面が光って見難い等の問題を解決することが出来る４面見開きファイルを提供する。【解決手段】譜面ホルダー用シートは、破れにくくて細長い透明のシートａの片側にファイルのリングに合う穴を開け、反対側の適当な位置数箇所には再剥離可能な粘着剤ｃを付け、剥離シートでカバーする構造とする。ファイルの表紙ｅ，ｆは、左右片側各２枚の内側に折りたたんだ表紙を広げれば、４面見開きになる構造とする。【選択図】図１
0003106474.tif 000002
【実用新案登録請求の範囲】
【請求項１】
薄いプラスチック等でできた細長いシートの片側数箇所に再剥離可能な両面テープを貼るか、再剥離可能な粘着剤を塗布し、剥離シートでカバーし、反対側は、リング式のファイルの場合には、リングに合うように穴を開けるか、リング式で無い場合には表紙の綴り具に固定できるようなシートを用いた譜面ファイル用ファイル。
【請求項２】
各種サイズの譜面を２枚あるいは４枚見開いた状態で使用できるファイル。
【請求項３】
綴り具の片側２枚の表紙が平面（見開き角度１８０度）あるいはそれより少し小さい角度になるように固定する為に、片側２枚の表紙の内側に取り付けた適当な材料でできたテープ等で、片側の２枚をつなぎ合わせた構造のファイル。
【考案の詳細な説明】
【技術分野】
【０００１】  本考案は、見開きページを変えずに譜面を保持でき、譜面の差し替えと貼り換えが可能な譜面ホルダー用シートを用い、演奏中の譜めくりの回数を少なくするために、譜面４ページを見開きにできるファイルに関するものである。
【背景技術】
【０００２】  従来、譜面をファイルにして使用するには、譜面を（イ）スクラップブック等に糊付け又はテープで貼り付ける。（ロ）譜面にパンチで穴を開けてファイルにする。（ハ）クリアーポケットに入れてファイルにする。（ニ）スプリング式挟み金具の付いたファイルに挟んでファイルにする、等の方法を用いてきた。
【考案の開示】
【考案が解決しようとする課題】
【０００３】  しかし、従来の方法では次のような問題点があった。
（イ）〜（ニ）のどの方法でも、見開きにできる譜面のページ数は２ページが限度であった。
（イ）の場合、貼りつけるのに手間がかかり、仕上がりが良くない上に、譜面の入れ替えや差し替えが出来ない。
（ロ）の場合、譜面に穴を開ける作業が必要であり、差し替えを繰り返す際、穴が破れる可能性がある。
（ロ）や（ハ）の場合は、見開きになるように印刷されていた譜面のコピーでは、見開きのページが変わってしまう。
（ハ）の場合、楽譜に書き込み等を要する際、いちいちポケットから取り出す必要があり、ポケットの表面が光って中の楽譜が見えにくい場合がある。
（ニ）の場合は挟み金具に、五線譜・文字等が隠れてしまう場合がある。また、譜面が充分開いた状態で止まらない場合がある。【０００６】  本考案は、これらの問題点を解決し、見開きページを変えずに譜面を保持でき、譜面の差し替えと貼り換えが可能で、機能的かつ簡単にファイルできる譜面ホルダー用シートを用い、４ページの譜面を見開きにして見ることができる譜面ファイルを提供することを目的とする。
【課題を解決するための手段】
【０００７】  上記の問題を解決し目的を達成するため、細長い透明のシート図２の片側に、リング式のホルダーのリングに合うように穴（ｂ）を開け、反対側の数箇所に再剥離可能な両面テープ（ｃ）を貼るか、再剥離可能な粘着剤（ｃ）を塗布し、剥離シートでカバー（ｄ）する等を施した譜面ホルダー用シートを用いる。【０００８】  上記の問題を解決し目的を達成するため、表紙の中央に取り付けられた綴り具の左右片側各２枚の表紙が内側に折りたたむことができ、片側２枚の表紙の内側に適当な材料でできたテープ等（ｊ）を取り付けて片側の２枚の表紙をつなぎ合わせ、片側２枚の表紙が平面（１８０度）あるいはそれより少し小さい角度で固定できるようにした構造の表紙を用いる。
【考案の効果】本考案により、譜面をファイルする際に、以下のような効果がある。【０００９】  見開き４ページにすることができ、演奏中の譜めくりの回数を少なくすることができる。【００１０】見開きページを変えずに譜面を保持できる。【００１１】差し替えと貼り換えを簡単に行うことができる。【００１２】金具やパンチ穴等により譜面の一部が隠れたり欠けたりすることなく、全面を見ることができる【００１３】楽譜に書き込み等を要する際、いちいちポケットから取り出す必要がなくなる。【００１４】ポケット用いた場合のように表面が光って、中の楽譜が見えにくいことが無くなる。【００１５】挟み金具を用いた場合のように、譜面が充分開いた状態で止まらない、といったことが無い。
【考案を実施するための最良の形態】
【００１６】  本考案は、譜面ホルダー用シート図２と、４ページ見開き譜面ファイル図３から構成されている。
【実施例】
【００１７】  以下、図面を用いて本考案の実施例を詳細に説明する。
譜面ホルダー用シート図２は、細長い透明のシート（ａ）の片側に、リング式のホルダーのリングに合うように穴（ｂ）を開け、反対側の数箇所に再剥離可能な両面テープ（ｃ）を貼るか、再剥離可能な粘着剤（ｃ）を塗布し、剥離シートでカバー（ｄ）する等を施したシートである。【００１８】  表紙（ｅ）は、必要な大きさの１枚のシートの中央にリング式綴り具（ｇ）を取り付け、その両脇（ｈ）と各片側２枚の表紙の境目に折り目（ｉ）を施し、その折り目から内側に折りたためるようにする。また片側２枚の表紙（ｅとｆ）は、平面（見開き角度１８０度）あるいはそれより少し小さい角度になるように固定する為に、片側２枚の表紙の内側に取り付けたテープ（ｊ）で、片側２枚をつなぎ合わせたものである。【００１９】  上記のシートとリング式閉じ具を備えた表紙を一体化させてファイルとする。【００２０】譜面台を用いて演奏する際は、４ページ見開いた状態図８で使用し、持ち運ぶ際は、図６→図７のように折りたたむ。
【図面の簡単な説明】
【図１】本考案全体の斜視図である。
【図２】譜面ホルダー用シートの正面図である。
【図３】４ページ見開きファイルを開いた状態の斜視図である。
【図４】図２で示した再剥離可能な粘着シートを示す斜視図である。
【図５】図３の４ページ見開きファイルを開いた状態の背面図である。
【図６】図３の４ページ見開きファイルをＡ４サイズにするために、内側に折りたたんだ状態の斜視図である。
【図７】図３の４ページ見開きファイルを図６のように折りたたみ、閉じた状態の背面斜視図である。
【図８】図１を譜面台にのせて使用時の正面図である。
【符号の説明】
（ａ）譜面ホルダー用シート。
（ｂ）４ページ見開きファイルに綴じるための譜面ホルダー用シートの綴り穴。
（ｃ）再剥離可能な粘着面・剥離シート。
（ｄ）剥離シート。
（ｅ）４ページ見開きファイルの表紙。
（ｆ）４ページ見開きファイルの表紙（内側に折りたたむ面）。
（ｇ）リング式綴り具。
（ｈ）折り目。
（ｉ）表紙の境目の折り目。
（ｊ）表紙の内側に取り付けたテープ。
【図１】
0003106474.tif 000003
【図２】
0003106474.tif 000004
【図３】
0003106474.tif 000005
【図４】
0003106474.tif 000006
【図５】
0003106474.tif 000007
【図６】
0003106474.tif 000008
【図７】
0003106474.tif 000009
【図８】
0003106474.tif 000010
【手続補正書】
【提出日】平成16年7月30日(2004.7.30)
【手続補正１】
【補正対象書類名】実用新案登録請求の範囲
【補正対象項目名】全文
【補正方法】変更
【補正の内容】
【実用新案登録請求の範囲】
【請求項１】
薄いプラスチック等でできた細長い透明なシートの片側数箇所に再剥離可能な両面テープを貼るか、再剥離可能な粘着剤を塗布して剥離シートでカバーし、シートの反対側は、リング式のファイルのリングに合うように穴を開け、表紙の綴り具に固定する譜面ホルダー用シートを用いた譜面用ファイル。
【請求項２】
前記表紙の大きさは、片側Ａ４サイズ２枚をつないだ大きさであることを特徴とする請求項１記載の譜面用ファィル。
【請求項３】
表紙の中央に取り付けられた綴り具の、左右両側の表紙は、それぞれ内側に折りたたむ構造で、表紙を開いたときの見開き角度を、平面（見開き角度１８０度）あるいはそれより少し小さい角度になるように固定する為に、表紙の内側に適当な材料でできたテープ等を取り付けた構造を特徴とする請求項１記載の譜面用ファイル。